(57)【要約】【課題】リム部と土手部の間に形成される開口部にバスエプロンを閉塞する際に、水密パッキンにバネ部材の押圧力を利用して圧力を加えつつ、且つ簡単にバスエプロンの取り付けることができるユニットバスを提供する。【解決手段】浴槽のリム部は、長手方向に沿って下向きに開口させた溝部を有し、バスエプロンは、当該バスエプロンの上端面に前記長手方向に沿って連続するように設けられた水密部材を有し、前記バスエプロンの上端部を前記溝部にその下側から嵌め込み、当該バスエプロンの上端面を前記水密部材を介して当該溝部に当接させるように当該バスエプロンを取り付けるようにし、前記バスエプロンの下端面側から当該バスエプロンに上向きの押し上げ力を加えるバネ部材を備えたことを特徴とするユニットバスが提供される。【選択図】図２
2009006169.tif 000002
【特許請求の範囲】
【請求項１】
上端縁にリム部が形成された浴槽と、
前記浴槽の一側面に隣接して配置され且つ土手部が形成された洗い場用防水パンと、
前記浴槽のリム部、及び前記防水パンの土手部の間を閉塞する着脱自在なバスエプロンと、
を備え、
前記浴槽のリム部は、前記長手方向に沿って下向きに開口させた溝部を有し、
前記バスエプロンは、当該バスエプロンの上端面に前記長手方向に沿って連続するように設けられた水密部材を有し、
前記バスエプロンの上端部を前記溝部にその下側から嵌め込み、当該バスエプロンの上端面を前記水密部材を介して当該溝部に当接させるように当該バスエプロンを取り付けるようにし、
前記バスエプロンの下端面側から当該バスエプロンに上向きの押し上げ力を加えるバネ部材を備えたことを特徴とするユニットバス。
【請求項２】
前記バスエプロンの下端面と前記洗い場用防水パンの前記土手部との間に形成させる隙間に、着脱自在に目地材を装着するようにしたことを特徴とする請求項１に記載のユニットバス。
【発明の詳細な説明】
【技術分野】
【０００１】
本発明は、一般家庭などの浴室として用いられるユニットバス（ 「浴室ユニット」とも呼ばれる）に関し、とくに、浴槽、洗い場用防水パン、及びバスエプロンをそれぞれ別体として現場に搬入し、それらのコンポーネントを現場にて一体に組み付けるタイプのユニットバスに関する。
【背景技術】
【０００２】
一般家庭で使用されるユニットバスには種々のタイプのものがあり、浴槽と洗い場とが互いに隣接して設置されるタイプのものが主流となっている。
【０００３】
このユニットバスには、（ Ｉ ） ： 浴槽と洗い場とを最初から一体に成形し、その一体のまま現場に搬入して施工するタイプのもの、（ I I） ： 浴槽とバスエプロン付きの洗い場用防水パンとを別体として成形し、施工時に双方を一体に組み付けるタイプのもの、更には、（ I I I） ： 浴槽、洗い場用防水パン、バスエプロン、及びバスエプロン用の枠体などの主要はコンポーネントをそれぞれ別体として成形して現場に搬入し、現場にて一体に組み付ける分割タイプのものなどがある。
【０００４】
各タイプのユニットバスそれぞれに長所はあるが、現場への搬入性、現場での施工や保守の容易性、更にはユーザの高級感に対する満足度の点から、上述した（ I I I） の分割タイプのユニットバスに対する要求は依然として高いものがある。
【０００５】
上述した（ I I I） の分割タイプのユニットバスの一例として、特許文献１ に記載のユニットバス（ 同文献の発明の名称は「洗い場付きユニットバス」） の構造が知られている。このユニットバスは、浴槽、洗い場用防水パン、矩形枠状の立装連結フレーム、及び浴槽遮蔽板部（ 開口部用閉蓋、エプロン） を分割した複数のコンポーネントとして備える。このユニットバスの組み付け時には、立装連結フレームを用いて浴槽のフランジ部の一辺と防水パンの土手部の一辺とをビスやボルトで相互に連結する。これにより、浴槽と洗い場用防水パンとが連結に結合されるとともに、立装結合フレームで画成されて作業用開口部が形成される。この作業用開口部には浴槽遮蔽板部が着脱自在に取り付けられる。この作業用開口部を介して施工作業や保守作業を能率良く行なうことができる。
【特許文献１】特開２ ０ ０ ３ − １ １ １ ６ ８ ７ 号公報
【発明の開示】
【発明が解決しようとする課題】
【０００６】
しかしながら、リム部と土手部の間に形成される開口部は大きく形成されるため、通常の水密パッキンなどを配置させるだけでは十分に水密性を確保できない場合がある。また、特許文献１に代表される浴室ユニットでは、建築構造物（建築土台、床面など）の上に高さ調整可能な支持架台を直接配置し、この支持架台の上に浴槽を設置する必要がある。
【０００７】
本発明の態様は、かかる課題の認識に基いてなされたものであり、リム部と土手部の間に形成される開口部にバスエプロンを閉塞する際に、水密パッキンにバネ部材の押圧力を利用して圧力を加えつつ、且つ簡単にバスエプロンの取り付けることができるユニットバスを提供する。
【課題を解決するための手段】
【０００８】
本発明の一態様によれば、上端縁にリム部が形成された浴槽と、前記浴槽の一側面に隣接して配置され且つ土手部が形成された洗い場用防水パンと、前記浴槽のリム部、及び前記防水パンの土手部の間を閉塞する着脱自在なバスエプロンと、を備え、前記浴槽のリム部は、前記長手方向に沿って下向きに開口させた溝部を有し、前記バスエプロンは、当該バスエプロンの上端面に前記長手方向に沿って連続するように設けられた水密部材を有し、前記バスエプロンの上端部を前記溝部にその下側から嵌め込み、当該バスエプロンの上端面を前記水密部材を介して当該溝部に当接させるように当該バスエプロンを取り付けるようにし、前記バスエプロンの下端面側から当該バスエプロンに上向きの押し上げ力を加えるバネ部材を備えたことを特徴とするユニットバスが提供される。
【発明の効果】
【０００９】
本発明の態様によれば、リム部と土手部の間に形成される開口部にバスエプロンを閉塞する際に、水密パッキンにバネ部材の押圧力を利用して圧力を加えつつ、且つ簡単にバスエプロンの取り付けることができるユニットバスが提供される。
【発明を実施するための最良の形態】
【００１０】
以下、添付図面を参照して、本発明に係るユニットバスの１ つの実施形態を説明する。
【００１１】
図１ に、この一実施形態に係るユニットバスの全体の外観（ 組付け後の外観） を示し、図２ に、このユニットバスの主要コンポーネントを分解した状態（ 組付け前） の外観を示す。
【００１２】
最初に、このユニットバスの主要コンポーネントを中心とする概要を説明する。
【００１３】
図１ 及び図２ に示すように、ユニットバス１ は、その主要コンポーネントの一部として、浴槽１ １ と、この浴槽１ １ に隣接して設置される洗い場用防水パン１ ２ （ 以下、防水パン１ ２ と呼ぶ） 、この防水パン１ ２ と浴槽１ １ とを着脱自在に結合する１ 対の結合部材１３ Ａ ， １ ３ Ｂ と、この結合部材１ ３ Ａ ， １ ３ Ｂ 、浴槽１ １ の防水パン側（ 一側面側） のリム部１ １ Ａ １ 、及び防水パン１ ２ の浴槽側（ 一側面側） の土手部１ ２ Ｂ １ により画成される矩形状の開口部Ｏ Ｐ （ 図２ 参照） を着脱自在に且つ止水性を保持して閉塞するバスエプロン１ ４ とを備える。浴槽１ １ 、防水パン１ ２ 、及び結合部材１ ３ Ａ ， １ ３ Ｂ は共に、一例としてＦ Ｒ Ｐ （ 繊維強化プラスチック） で形成される。浴槽１ １ 及び防水パン１ ２ は、建築構造物（ 例えばコンクリート床） 上に置かれた高さ調節用可能な支持架台Ｓ Ｐ により支持されている。
【００１４】
ここで、説明の便宜のため、浴槽１ １ （ 及び洗い場用防水パン１ ２ ） の長手方向をＺ 軸とする直交座標系を設定する。この長手方向は、本実施形態にあっては、浴槽１ １ の一側面に位置するリム部１ １ Ａ １ （ 又は、洗い場用防水パン１ ２ の一側面に位置する土手部１２ Ｂ １ ） が防止パン１ ２ （ 又は浴槽１ １ ） に対向しながら延びる板方向を言う。
【００１５】
これらの浴槽１ １ 、防水パン１ ２ 、結合部材１ ３ Ａ ， １ ３ Ｂ 、及びバスエプロン１ ４ により、この洗い場付き浴槽１ １ は、浴槽の部分、洗い場の部分、及びバスエプロンの部分が予め分離されて提供される「３ 分割構造」を特徴とする。すなわち、これらの主要コンポーネント（ 浴槽１ １ 、防水パン１ ２ 、結合部材１ ３ Ａ ， １ ３ Ｂ 、及びバスエプロン１ ４） は、それぞれ、別体として製造されて現場に搬入され、現場にて一体に組み付けられる。
【００１６】
このため、現場への搬入性がアップして省施工が可能になるほか、サイズの大きい点検口（ すなわち開口部Ｏ Ｐ ） を確保できるため、保守性も高い。また、一体に組付け後の浴槽の外観は浴槽１ 及び洗い場床面が互いに別体に見えるため、ユニットバス１ の高級感を醸し出すことができる。
【００１７】
このユニットバス１ は、さらに別の主要コンポーネントとして、防水パン１ ２ のＺ 軸方向の一端部にて床面から所定高さの位置にほぼ水平に設置される洗い場カウンタ１ ５ と、この洗い場カウンタ１ ５ の手前側の位置に立設される化粧板（ 蓋板） １ ６ と、この洗い場カウンタ１ ５ 、化粧板１ ６ 、及び壁面とに囲まれたスペースを利用して配置される給水配管部１ ７ とを備える。このうち、洗い場カウンタ１ ５ 及び化粧板１ ６ は利用者であっても簡単に着脱できるようになっている。
【００１８】
次に、図３ 〜 １ ６ を参照して、このユニットバス１ の主要コンポーネントの構造をその作用効果と共に詳述する。
【００１９】
（ １ ． 浴槽）
図３ 及び図４ に示すように、浴槽１ １ は、利用者が身体を伸ばして入浴できるように細長い内容積のバスタブＴ Ｂ を有し、そのバスタブＴ Ｂ の周囲にリム部１ １ Ａ を形成している。リム部１ １ Ａ は、その長手方向（ Ｚ 軸方向） に沿って位置し且つ防止パン１ ２ に隣接する第１ のリム部１ １ Ａ １ と、この第１ のリム部１ １ Ａ １ に連なってバスタブＴ Ｂ の縁を一周する第２ 〜 第４ のリム部１ １ Ａ ２ 〜 １ １ Ａ ４ とから成る。
【００２０】
このうち、第１ のリム部１ １ Ａ １ は、図４ に示すように、バスタブＴ Ｂ を形成する壁体が所定高さの位置で所定幅の湾曲部を残すように折れ曲がって一体成形されている。この湾曲部により、下向き（ Ｙ 軸方向） に開口する略Ｕ 字状の溝部２ １ が形成されている。この溝部２ １ には、その幅方向（ Ｘ 軸方向） の中心付近の位置に、所定高さで且つ溝部２ の長手方向（ Ｚ 軸方向） 全体にわたって延びる長さの仕切り板２ ２ が垂下されている。これにより、溝部２ １ がその長手方向に沿って略二分されている。この二分された溝部２ １Ａ ， ２ １ Ｂ のうち、防水パン側の溝部２ １ Ａ は、後述するようにバスエプロン１ ４ を着脱自在に装着するスペースとして使用される。
【００２１】
第１ のリム部１ １ Ａ １ から第２ のリム部１ １ Ａ ２ に至る角部には、例えば図３ に示すように、浴槽水栓２ ５ が立設されている。この浴槽水栓２ ５ は、その角部（ リム部） の裏側で後述する２ 本の配管（ 給水配管及び給湯配管） に接続されている。
【００２２】
第２ 〜 第４ のリム部１ １ Ａ ２ 〜 １ １ Ａ ４ には、詳述しないが、立ち上がり部がそれぞれ形成され、この立ち上がり部に浴室の壁体を嵌め込んで止水処理することで止水性を確保している。
【００２３】
（ ２ ． 防水パン）
一方、防水パン１ ２ は、高さ方向（ Ｙ 軸方向） において、浴槽１ １ のリム部１ １ Ａ よりも低い位置に設置される。防水パン１ ２ は、床面部１ ２ Ａ と、その床面部１ ２ Ａ の周囲に立ち上がりを一体に形成する土手部１ ２ Ｂ から成る。床面部１ ２ Ａ は、洗い場の中心となる床面本体１ ２ Ａ １ と、長手方向（ Ｚ 軸方向） の一端部に床面本体１ ２ Ａ １ から段差によって画成された略矩形状の段差部１ ２ Ａ ２ とから成る。床面本体１ ２ Ａ １ は浴槽寄りの１つの角部に向かって緩やかに傾斜しており、その角部に形成された排水口３ １ に導水できるようになっている。段差部１ ２ Ａ ２ には、後述する給水配管部１ ７ が設置される。
【００２４】
この防水パン１ ２ の土手部１ ２ Ｂ は、図２ 、３ に示すように、その長手方向（ Ｚ 軸方向） に沿って位置し且つ浴槽１ １ に隣接する第１ の土手部１ ２ Ｂ １ と、この第１ の土手部１２ Ｂ １ に連なって防水パン１ ２ の縁を一周する第２ 〜 第４ の土手部１ ２ Ｂ ２ 〜 １ ２ Ｂ ４ とから成る。
【００２５】
このうち、第１ の土手部１ ２ Ｂ １ は、図４ から分かるように、床面本体１ ２ Ａ １ 及び段差部１ ２ Ａ ２ から横方向（ Ｘ 軸方向） に延びる幅の狭いレール状床面３ ２ Ａ と、このレール状床面３ ２ Ａ から上方向（ Ｙ 軸方向） に立ち上がる立ち上がり面３ ２ Ｂ と、この立ち上がり面３ ２ Ｂ から更に横方向に伸びて立ち上がる形状の立ち上がり部３ ２ Ｃ とを成る。つまり、この第１ の土手部１ ２ Ｂ １ は２ 段階で立ち上がる形状になっている。１ 段目のレール状床面３ ２ Ａ は、後述するようにバスエプロン１ ４ を着脱自在に装着するために使用される。
【００２６】
このため、最初の立ち上がり面３ ２ Ｂ には、その内側に、複数個のバネ３ ３ を所定高さ位置で長手方向（ Ｚ 軸方向） に沿って一定間隔で配置されている。この複数個のバネ３ ３は、それぞれ、所定長さ且つ所定幅の鋼材を、側面から見て基部３ ３ Ａ から立ち上がる逆Ｖ 字状の折り曲げ部を有するように折り曲げて形成され、その折り曲げ部に所望のバネ性を持たせている。各バネ３ ３ はその逆Ｖ 字状の折り曲げ部を下向きに開口した状態で取り付けられる。これにより、複数個のバネ３ ３ が協働して、それらの折り曲げ部の底部でバスエプロン１ ４ の底面に形成される略Ｖ 字状の凹部を着脱自在に受け入れ且つそのバスエプロン１ ４ に上向き（ Ｙ 軸方向） 且つ横向き（ Ｘ 軸方向で浴槽向き） の成分を有する斜め方向に押圧力を加える。
【００２７】
上述した第１ の土手部１ ２ Ｂ １ のうち、２ 段目の立ち上がり部３ ２ Ｃ は各種の止水パッキンを以ってしても沁み出した水分があるときに、これを蓄えて自然乾燥させるための止水に対するバッファとしての役目を与えている。
【００２８】
さらに、防水パン１ ２ の第２ 〜 第４ の土手部１ ２ Ｂ ２ 〜 １ ２ Ｂ ４ にも、詳述しないが、立ち上がり部がそれぞれ形成され（ 例えば図４ の第２ の土手部１ ２ Ｂ ２ を参照） 、この立ち上がり部に浴室の壁体を嵌め込んで止水処理することで止水性が確保される。第３ の土手部１ ２ Ｂ ３ の所定範囲に及ぶ位置には、浴室出入り用のドアが設置される。
【００２９】
なお、防水パン１ ２ の段差部１ ２ Ａ ２ については、給水配管部１ ７ と共に後述する。
【００３０】
（ 結合部材）
さらに、１ 対の結合部材１ ３ Ａ ， １ ３ Ｂ のうち、第１ の結合部材１ ３ Ａ の全体斜視図を図５ に示す。この第１ の結合部材１ ３ Ａ は、図５ に示すように、浴室の壁体の一部を支持するための支持体（ ポスト部） ３ ９ と、略板状で所定厚さ及び所定長さを有する支柱体（ピラー部） ４ １ と、この支柱体４ １ と支柱体３ ９ とを相互に剛結する矩形板状の中間部材４ ０ とを備える。この中間部材４ ０ は、その取り付け状態における下端側の一部が支柱体３ ９ より短く形成される一方で、その上端部は支柱体３ ９ と同一高さに形成されている。
【００３１】
支柱体４ １ は、略板状の基板部４ １ Ａ と、この基板部の一方の表面Ｓ １ （ 第１ の当接面） の途中から直角（ 又は鈍角： 図５ 中の角度θ 参照） に立ち上がる面Ｓ ２ （ 第２ の当接面） を介して凸状に形成された膨張部４ １ Ｂ と、支柱体４ １ の取り付け状態での下端部から突状に延設されたフランジ部４ １ Ｃ と、支柱体４ １ の取り付け状態における上端部に凹んで形成された段差部４ １ Ｄ とを一体に有する。フランジ部４ １ Ｃ （ 及び基板部４ １ Ａ ） の板面方向と膨張部４ １ Ｂ の膨張方向（ 凸部方向） とは直交するように設定されている。
【００３２】
中間部材４ ０ の上端部は、段差部４ １ Ｄ の底面の一部を成している。この中間部材４ ０の位置には、図６ に示すように、組み付け時に浴室の壁体Ｗ Ｌ を位置させる。このため、支持体３ ９ は、壁体Ｗ Ｌ の後ろ側に位置し、壁体Ｗ Ｌ の奥に隠れるので、この壁体Ｗ Ｌ の取り付けに使用される。
【００３３】
支持体３ ９ は、略矩形状の板状部材でなるが、その取り付け状態における下端部にその板面方向に３ 角形状に広がる広がり部３ ９ Ａ を有し、その上端部にその板面方向に突き出た突き出し部３ ９ Ｂ を有して一体に形成されている。支持体３ ９ の広がり部３ ９ Ａ を含む下端面は前記中間部材のそれと同一面をなすように形成される一方で、突き出し部３ ９ Ｂは支柱体４ １ よりも高く形成されている。このため、支持体３ ９ の板面方向は、フランジ部４ １ Ｃ （ 及び基板部４ １ Ａ ） のそれとも直交している。
【００３４】
フランジ部４ １ Ｃ の一部には、図５ に示すように、その面が一部凹んだ凹部４ １ Ｃ ａ が形成されている。この凹部４ １ Ｃ ａ をネジにより防水パン１ ２ の第１ の土手部１ ２ Ｂ １ の壁面に固定することで、第１ の結合部材１ ３ Ａ が防水パン１ ２ に結合される。
【００３５】
図５ に示すように、この第１ の結合部材１ ３ Ａ の支柱体４ １ の底面及び接続部材の底面に掛けて水密部材Ｌ Ｂ １ が貼り付けられている。また、支柱体４ １ の段差部４ １ Ｄ 及び支持体３ ９ の突き出し部３ ９ Ｂ に掛けて水密部材Ｌ Ｂ ２ が貼り付けられている。
【００３６】
さらに、この第１ の結合部材１ ３ Ａ の軸方向の取り付け状態での上端部には、浴槽１ １への取り付け用の金具４ ２ が取り付けられている。
【００３７】
また、膨張部４ １ Ｂ の部分には、その表裏を貫通する貫通孔４ ３ が所定高さの位置に形成されている。この貫通孔４ ３ は、後述する配管を通過させるためのものである。
【００３８】
これに対して、防水パン１ ２ の第１ の土手部１ ２ Ｂ １ の端部には、図５ に示すように、第１ の結合部材１ ３ Ａ の支柱体４ １ のＬ 字状の底部の形状に合わせた切込み部４ ４ が形成されている。このとき、第１ の結合部材１ ３ Ａ の下端部を、かかる切込み部４ ３ に差し込んだときに、図６ に示すように、第１ の土手部１ ２ Ｂ １ の立ち上がり部３ ２ Ｂ の面Ｓ ３ と、第１ の結合部材１ ３ Ａ の支柱体４ １ の表面Ｓ １ （ 第１ の当接面） とが同一面を形成するように、それらのサイズが設定されている。
【００３９】
また、浴槽１ １ の第１ のリム部１ １ Ａ １ と第２ のリム部１ １ Ａ ２ との間の角部には、浴槽水栓２ ５ を取り付け用の金具４ ２ で迂回する状態で、第１ の結合部材１ ３ Ａ の支柱体４１ の上端部が固設される（ 図６ 参照） 。このとき、第１ のリム部１ １ Ａ １ に形成された防水パン側の溝部２ １ Ａ の一部を画成する仕切り板２ ２ の面Ｓ ４ と第１ の結合部材１ ３ Ａ の支柱体４ １ の面Ｓ １ とが同一面を形成するようにサイズが設定されている。
【００４０】
第２ の結合部材１ ３ Ｂ を図８ 〜 １ ０ を参照して説明する。この第２ の結合部材１ ３ Ｂ は、図８ に示すように、浴室の壁体の一部を支持するための支持体（ ポスト部） ４ ９ と、略直方体状で所定厚さ及び所定長さを有する支柱体（ ピラー部） ５ １ と、この支柱体５ １ と支柱体４ ９ とを相互に剛結する矩形板状の中間部材５ ０ とを備える。この中間部材５ ０ は、その取り付け状態における下端側及び上端部の高さが支柱体４ ９ と同一に形成されている。
【００４１】
支柱体５ １ は、基部５ １ Ａ と、この基部５ １ Ａ の一方の表面Ｓ ５ （ 第１ の当接面） の途中から直角に立ち上がる面Ｓ ６ （ 第２ の当接面） を介して凸状に形成された膨張部５ １ Ｂと、支柱体５ １ の取り付け状態における基部５ １ Ａ の下端部から突状に延設されたフランジ部５ １ Ｃ と、支柱体５ １ の取り付け状態における上端部に凹んで形成された段差部５ １Ｄ とを一体に有する。なお、面Ｓ ６ は表面Ｓ ５ から鈍角の角度で立ち上がるようにしてもよい。フランジ部５ １ Ｃ （ 及び基部５ １ Ａ ） の突設方向と膨張部５ １ Ｂ の膨張方向（ 凸部方向） とは直交するように設定されている。
【００４２】
中間部材５ ０ の上端部は、段差部５ １ Ｄ の底面の一部を成している。この中間部材４ ０の位置には、組み付け時に浴室の壁体Ｗ Ｌ を位置させる。このため、支持体４ ９ は、壁体Ｗ Ｌ の後ろ側に位置し、壁体Ｗ Ｌ の奥に隠れるので、この壁体Ｗ Ｌ の取り付けに使用される。
【００４３】
支持体４ ９ は、略矩形状の板状部材で成るが、その取り付け状態における上端部にその
板面方向に突き出し且つ支柱体５ １ よりも高く突き出した突き出し部３ ９ Ａ を有して一体に形成されている。支持体３ ９ の板面方向は、フランジ部４ １ Ｃ （ 及び基板部４ １ Ａ ） のそれとも直交している。
【００４４】
フランジ部５ １ Ｃ の一部には、図８ に示すように、その面が一部凹んだ凹部５ １ Ｃ ａ が形成されている。この凹部５ １ Ｃ ａ をネジにより防水パン１ ２ の第１ の土手部１ ２ Ｂ １ の壁面に固定することで、第２ の結合部材１ ３ Ｂ が防水パン１ ２ に結合される。
【００４５】
図８ に示すように、この第２ の結合部材１ ３ Ｂ の支柱体５ １ の底面及び接続部材５ ０ の底面に掛けて水密部材Ｌ Ｂ ３ が貼り付けられている。また、支柱体５ １ の段差部５ １ Ｄ 及び支持体４ ９ の突き出し部４ ９ Ａ に掛けて水密部材Ｌ Ｂ ４ が貼り付けられている。
【００４６】
さらに、この第２ の結合部材１ ３ Ｂ の軸方向の取り付け状態での上端部には、浴槽１ １への取り付け用の金具５ ２ が取り付けられている。
【００４７】
これに対して、防水パン１ ２ の第１ の土手部１ ２ Ｂ １ のもう一方の端部には、図８ に示すように、第２ の結合部材１ ３ Ｂ の底部の形状に合わせた切込み部５ ３ が形成されている。このとき、第２ の結合部材１ ３ Ｂ の下端部をかかる切込み部４ ３ に差し込んだときに、図９ に示すように、第１ の土手部１ ２ Ｂ １ の立ち上がり部３ ２ Ｂ の面Ｓ ３ と、第２ の結合部材１ ３ Ｂ の支柱体５ １ の面Ｓ ５ とが同一面を形成するように、それらのサイズが設定されている。
【００４８】
また、浴槽１ １ の第１ のリム部１ １ Ａ １ と第４ のリム部１ １ Ａ ４ との間の角部には、取り付け用の金具５ ２ を介して第２ の結合部材１ ３ Ｂ の上端部が固設される（ 図９ 参照） 。このとき、第１ のリム部１ １ Ａ １ に形成された防水パン側の溝部２ １ Ａ の一部を画成する仕切り板２ ２ の面Ｓ ４ と第２ の結合部材１ ３ Ｂ の支柱体５ １ の面Ｓ ５ とが同一面を形成するように、それらのサイズが設定されている。
【００４９】
（ バスエプロン）
バスエプロン１ ４ は、所定厚さを有するＦ Ｒ Ｐ などの素材で形成された所定厚さで略矩形状の板体である。このバスエプロン１ ４ の厚さは、第１ 及び第２ の結合部材１ ３ Ａ ， １３ Ｂ の膨張部４ １ Ｂ ， ５ １ Ｂ の高さに略一致させている。
【００５０】
さらに、バスエプロン１ ４ の上端側の所定位置には、図４ に示すように、その長手方向（ 取り付け時においてＺ 軸方向） に沿って取手部１ ４ Ａ が形成されている。これと共に、バスエプロン１ ４ の底面には、前述した防水パン１ ２ の第１ の土手部１ ２ Ｂ １ に設けた複数個のバネ３ ３ の逆Ｖ 字状面に合った略Ｖ 字状の溝１ ４ Ｂ が形成されている。
【００５１】
さらに、このバスエプロン１ ４ には、図１ ４ （ ａ ） ， （ ｂ ） に概略示すように、その周囲を略２ 重に取り巻く水密手段が設けられている。一方の水密手段は、取り付け状態のおける浴槽１ １ 側の外表面上１ ４ Ａ であって、その板厚方向に直交する４ 周の側面の端部近傍の位置に沿って矩形状に完全に一周して取り付けられた、ストリップ状の水密パッキン（ ゴムパッキン） Ｇ Ｐ １ で成る。もう一方の水密手段は、バスエプロンの板厚方向に直交する４ 周の側面のうちの、取り付け状態における上側面及び左右側面の３ 側面に沿って取り付けられた、ストリップ状の水密パッキン（ ゴムパッキン） Ｇ Ｐ ２ で成る。これらの水密パッキンＧ Ｐ １ ， Ｇ Ｐ ２ は、予めバスエプロン１ ４ に取り付けられ、バスエプロン１ ４の開口部Ｏ Ｐ への取り付け時には、後述するように、浴槽１ １ 及び防水パン１ ２ に対して適度な押圧力で押し付けられて水密性能を発揮するようになっている。
【００５２】
さらに、バスエプロン１ ４ の防水パン１ ２ 側の面には、略Ｌ 字状の有底状のロック用溝１ ４ Ｃ が形成されている。このロック用溝１ ４ Ｃ には、後述する化粧板１ ６ の端部に形成した端部が嵌合可能になっている。このため、ユニットバス１ の組付け時に、バスエプロン１ ４ を装着した後、化粧板１ ６ の端部がこのロック用溝１ ４ Ｃ に収まらないときには、バスエプロン１ ４ の開口部Ｏ Ｐ への装着が不完全であることが分かるようになっている。この場合には、バスエプロン１ ４ が所定の位置に収まるように装着作業をし直すことになる。
【００５３】
なお、このバスエプロン１ ４ と防水パン１ ２ の第１ の土手部１ ２ Ｂ １ のレール状床面３２ Ａ との間には、目地材４ ８ が置かれる（ 図１ ６ 参照） 。
【００５４】
（ ５ ． 洗い場カウンタ、化粧板、及び給水配管部）
給水配管部１ ７ は、図３ に示すように、防水パン１ ２ のＺ 軸方向の一端部に一体形成された段差部１ ２ Ａ ２ の位置に設けられる。つまり、この給水配管部１ ７ は、防止パン１ ２の床面の一部を成す段差部１ ２ Ａ ２ の所定位置に立設された外部の配管（ 給水配管及び給湯配管） に接続する接続部６ １ と、この接続部６ １ に接続された２ 本の浴室配管６ ２ Ａ ，６ ２ Ｂ （ 給水用及び給湯用） と、この浴室配管６ ２ Ａ ， ６ ２ Ｂ に接続された洗い場水栓６３ と、及び浴室配管６ ２ Ａ ， ６ ２ Ｂ からそれぞれ分岐した分岐配管６ ４ Ａ ， ６ ４ Ｂ を備える。
【００５５】
このうち、洗い場水栓６ ３ は浴室壁Ｗ Ｌ の所定高さ位置に取り付けられる。この浴室壁Ｗ Ｌ には、図１ １ に示すように、洗い場カウンタ１ ５ を載置して保持する２ つのカウンタ保持体６ ５ ， ６ ６ が取り付けられている。このカウンタ保持体６ ５ ， ６ ６ は共に、ストリップ状の金属プレートを折り曲げて、側面方向から見て直角三角形を成す構造を有する。このため、各カウンタ保持体６ ５ （ ６ ６ ） の所定の一辺を浴室壁Ｗ Ｌ に取り付けるとともに、その一辺と直交するもう一辺を洗い場カウンタ１ ５ の保持に使用する。分岐配管６ ４Ａ 、６ ４ Ｂ は一方のカウンタ保持体６ ５ が作る３ 角形状の開口部を通して浴槽１ １ の側に送られる。このため、分岐配管６ ４ Ａ ， ６ ４ Ｂ は、そのカウンタ保持体６ ５ に係止される。
【００５６】
分岐配管６ ４ Ａ ， ６ ４ Ｂ は、第１ の結合部材１ ３ Ａ に形成した連通孔４ ３ を通してバスエプロン１ ４ との隣接位置を通過し、浴槽１ １ の側に至る。この分岐配管６ ４ Ａ ， ６ ４ Ｂは、第１ の結合部材１ １ を通過後、立ち上がるように引き回されて浴槽水栓２ ５ の下部に給水可能に接続されている。
【００５７】
この連通孔４ ３ から浴槽水栓２ ５ に至るまでの分岐配管６ ４ Ａ ， ６ ４ Ｂ は、図１ １ ， １２ に示すように、水受け材としてのゴム製のチューブ６ ７ により全体が被覆されている。このチューブ６ ７ は、浴槽水栓２ ５ の下端の配管結合部から第１ の結合部材１ ３ Ａ の連通孔４ ３ までを完全に被うので、仮に配管結合部に水漏れが生じたとしても、その水滴はチューブ６ ７ の内部にしか漏れないようになっている。この水滴は、図１ ３ に模式的に示すように、チューブ６ ７ の内面と伝わって、第１ の結合部材１ ３ Ａ の連通孔４ ３ から防水パン１ ２ の側に流れ出る。つまり、かかる水漏れによる水滴が浴槽１ １ の下側にそのまま流れ出て、建築構造体に掛かってしまうことが無いように施工される。
【００５８】
一方、洗い場カウンタ１ ５ は、給水配管部１ ７ 、すなわち防止パン１ ２ の段差部１ ２ Ａ２ に立設した接続部６ １ 、浴室配管６ ２ Ａ ， ６ ２ Ｂ 、分岐配管６ ４ Ａ ， ６ ４ Ｂ を被うようにカウンタ保持体６ ５ ， ６ ６ の上に着脱自在に配設される。この洗い場カウンタ１ ５ はその一方の端部、すなわち浴槽１ １ の側に位置する端部は図１ １ から分かるように滑らかに湾曲しながら立ち上がる湾曲部（ 傾斜面） １ ５ Ａ を形成している。この湾曲部１ ５ の立ち上がり高さは、浴槽１ １ の第１ のリム部１ １ Ａ １ の縁に滑らかに連なることが可能な値に設定されている。このため、バスエプロン１ ４ の着脱の際、洗い場カウンタ１ ５ が邪魔になって着脱を行なうことができないといった不都合が発生しないようになっている。また、この湾曲部１ ５ Ａ を形成することにより、浴槽１ １ の縁から洗い場カウンタ１ ５ に段差を経て移行するタイプのものと比べて、意匠性が良くなっている。
【００５９】
化粧板１ ６ は、その浴槽側に位置させる端部は手前側に湾曲した湾曲部１ ６ Ａ （ 図２ 参照） を有し、残りの部分は直線板状に形成されている。湾曲部１ ６ Ａ には、バスエプロン１ ４ のロック用溝１ ４ Ｃ に嵌合可能な突起体１ ６ Ａ ａ が一体に形成されている。この化粧板１ ６ は、図１ に示す如く、洗い場カウンタ１ ５ の下面に着脱自在に垂設され、洗い場カウンタ１ ５ と協働して給水配管部１ ７ を略直方体状に被うように取り付けられる。具体的には、化粧板１ ６ の上端部が洗い場カウンタ１ ５ のＺ 軸方向の所定位置に設けた溝部（ 図示せず） に嵌合し、且つ、その下端部が段差部１ ２ Ａ ２ の所定対向位置に設置した複数のバネ６ ８ （ 図３ ， ５ 参照） に嵌合できるようになっている。このため、洗い場カウンタ１５ を取り付け、さらにバスエプロン１ ４ を取り付けた後で、化粧板１ ６ を取り付けることで、化粧板１ ６ の裏側に給水配管部１ ７ を隠すことができ、意匠性に優れたものになる。
【００６０】
（ 組み付け作業）
ここで、上述したユニットバス１ を現場で組み付けるための作業者による作業工程を説明する。なお、全てのコンポーネントは別体として一般家庭の戸建住宅や集合住宅などの現場に搬入されるものとする。
【００６１】
最初に、建築構造物上に設置された高さ調節用可能な支持架台Ｓ Ｐ に防水パン１ ２ が置かれ、支持架台Ｓ Ｐ の高さ調整がなされる。次いで、防水パン１ ２ の隣に浴槽１ １ が配置される。この浴槽１ １ も支持架台Ｓ Ｐ 上に配置して高さ調整に付される。
【００６２】
次いで、浴槽１ １ と防水パン１ ２ の両者の一辺側の両端部を第１ 及び第２ の結合部材１３ Ａ 、１ ３ Ｂ で相互に結合する。これにより、最初から枠体を用いずとも、浴槽１ １ 及び防水パン１ ２ の双方のリム部並びに第１ 及び第２ の結合部材との間で矩形状の大きな開口部Ｏ Ｐ を有する枠状部分が形成される。
【００６３】
これが終ると、浴槽１ １ 及び防水パン１ ２ の周囲に浴室を画成する壁体を水密に建て付けるとともに、防水パン１ ２ の段差部１ ２ Ａ ２ の接続部６ １ から洗い場水栓６ ３ 及び浴槽水栓２ ５ に至る配管を行う。このとき、浴槽側に出ている分岐配管６ ４ Ａ ， ６ ４ Ｂ の部分には、水受け材としてのゴム製のチューブ６ ７ を取り付ける。この配管作業は、大きな開口部Ｏ Ｐ を使うことできるので、能率良く行なうことができる。
【００６４】
次いで、洗い場カウンタ１ ５ を被せてから、バスエプロン１ ４ の一方の外表面１ ４ Ａ を浴槽１ １ の側にして、上述した枠状部分にバスエプロン１ ４ を、開口部Ｏ Ｐ を塞ぐように嵌め込む。このバスエプロン１ ４ と枠状部分との間、すなわち浴槽１ １ 及び防水パン１ ２は、浴槽１ １ の外側のスペースから、確実な水密性の仕切りで仕切られることになる。
【００６５】
ここで、図１ ５ 、１ ６ を参照して、この枠状部分をその止水ラインと共に詳述する。ユニットバス１ の組付けに際し、第１ 及び第２ の結合部材１ ３ Ａ ， １ ３ Ｂ で浴槽１ １ 及び防止パン１ ２ を相互に結合すると、防水パン１ ２ の第１ の土手部１ ２ Ｂ １ のレール状面３ ２Ａ が浴槽１ １ の第１ のリム部１ １ Ａ の下向き溝部２ １ Ａ に相対するように浴槽１ １ 及び防水パン１ ２ が位置決めされる。
【００６６】
この結果、図１ ５ のクロスハッチングの領域として示すように、浴槽１ １ の防水パン側の第１ のリム部１ １ Ａ １ の仕切り板２ ２ の面Ｓ ４ 、防水パン１ ２ の浴槽側の第１ の土手部１ ２ Ｂ １ の経ち上がり部３ ２ Ｂ の面Ｓ ３ 、及び両サイドに位置するピラーとしての第１ 及び第２ の結合部材１ ３ Ａ 、１ ３ Ｂ の支柱体４ １ ， ５ １ の面Ｓ １ ， Ｓ ５ の合計４ つの面が矩形状の開口部Ｏ Ｐ を画成し、かつ、それらの４ 面の面位置（ 面の高さ） が一致する。つまり、これにより、分割されていた浴槽１ １ 及び防水パン１ ２ をそれぞれ所定位置に位置させながら相互に結合するとともに、４ 面を呈する部材（ ２ ２ 、３ ２ Ｂ 、４ １ 及び５ １ ） により矩形状の枠状部分が形成され、矩形状の大きな開口部Ｏ Ｐ が形成される。この大きな開口部Ｏ Ｐ は、施工や保守のときの作業用に使用される。
【００６７】
そこで、取手部１ ４ Ａ を掴んでバスエプロン１ ４ を持ち上げ、その一方の外表面１ ４ Ａ（ 図１ ４ （ ａ ） ， （ ｂ ） 参照） を浴槽１ １ の側に向けながら、当該バスエプロン１ ４ の上端部を両サイドの第１ 及び第２ の結合部材１ ３ Ａ ， １ ３ Ｂ の間の位置に持っていき、そのまま浴槽１ １ の第１ のリム部１ １ Ａ １ の溝２ １ Ａ に差し込みながら、その下端部を防水パン１ ２ の第１ の土手部１ ２ Ｂ １ のレール状床面３ ２ Ａ の位置に押し込む。この押し込みのときに、レール状床面３ ２ Ａ の上側に突出するように設けられているバネ３ ３ の下向きＶ字状面を、バスエプロン１ ４ の下端面の先頭部が乗り越えられるように、同バスエプロン１ ４ を少し上に押圧する。これにより、バスエプロン１ ４ の下端面の下向きＶ 字状の凹部１ ４ Ｂ と複数のバネ３ ３ それぞれの下向きＶ 字状面とが嵌合し、且つ、バネ３ ３ のバネ力によりロックされる（ 図１ ６ 参照） 。
【００６８】
各バネ３ ３ の基部３ ３ Ａ はレール状床面３ ２ Ａ から垂直に立ち上がっている面３ ２ Ｂ に取り付けられているため、その基部３ ３ Ａ と逆Ｖ 字状のブレード部との間に上向き（ 基部に平行な上方向） 及び横向き（ 基部に向いた方向の成分が合成された斜め方向に向かうバネ力Ｆ １ 、Ｆ ２ が作用する。このため、バスエプロン１ ４ にも上向き（ Ｙ 軸方向） と浴槽向き（ Ｘ 軸方向） の押圧力が加わる（ 図１ ６ 中の矢印Ａ １ 〜 Ａ ３ 参照） 。つまり、バスエプロン１ ４ は上述した４ 面を呈する枠状部材（ ２ ２ 、３ ２ Ｂ 、４ １ 及び５ １ ） に収まり且つ一定の押圧力で押し付けられる。
【００６９】
このため、４ 面Ｓ １ ， Ｓ ３ ， Ｓ ４ ， Ｓ ５ を呈する枠状部材（ ２ ２ 、３ ２ Ｂ 、４ １ 及び５１ ） とバスエプロン１ ４ との間で、一方の水密パッキンＧ Ｐ ２ が浴槽向きに押圧され、その全周（ １ 周分） で止水性を発揮する。さらに、もう一方の水密パッキンＧ Ｐ １ のうち、バスエプロン１ ４ の上端面に位置する部分は上向きに押圧されて止水性を発揮する。この水密パッキンＧ Ｐ １ のうち、残りのバスエプロン１ ４ の両サイドに位置する部分は、Ｚ 軸方向におけるバスエプロン１ ４ のサイズ及び第１ 、第２ の結合部材１ ３ Ａ ， １ ３ Ｂ の距離のクリアランスを適宜に設計することにより、バスエプロン１ ４ を装着するときの嵌合具合によって両サイドの方向に押圧されるようになっている。
【００７０】
この結果、図１ ５ に太い実線Ｗ Ｓ １ 、Ｗ Ｓ ２ で示すように、バスエプロン１ ４ を開口部Ｏ Ｐ に装着するだけで、枠状部材（ ２ ２ 、３ ２ Ｂ 、４ １ 及び５ １ ） とバスエプロン１ ４ との間で略２ 重の止水ラインＷ Ｓ １ ， Ｗ Ｓ ２ が形成される。なお、図１ ５ におけるＬ Ｂ １ 〜Ｌ Ｂ ４ は、第１ 及び第２ の結合部材１ ３ Ａ ， １ ３ Ｂ に予め装着されており、浴槽１ １ 及び防水パン１ ２ を相互に結合するときに、それらのコンポーネントとの間に介挿されて別の止水ラインを形成する水密パッキンである。
【００７１】
上述した止水ラインＷ Ｓ １ ， Ｗ Ｓ ２ のうち、一方の止水ラインＷ Ｓ １ は、枠状部材（ ２２ 、３ ２ Ｂ 、４ １ 及び５ １ ） の内側寄りの位置を完全に一周し、もう一方の止水ラインＷＳ ２ は、その止水ラインＷ Ｓ １ よりも外側の位置を３ ／ ４ 周（ すなわち、上側と左右を周回） している。この略２ 重の止水ラインＷ Ｓ １ 、Ｗ Ｓ ２ により、確実な止水性能が発揮される。とくに、浴槽１ １ から溢れる水がバスエプロン１ ４ の上部や左右の縁を伝わって入り込もうとしても、外側に位置する３ ／ ４ 周の止水ラインＷ Ｓ ２ が在るため、これに確実にブロックされる。このため、この止水ラインＷ Ｓ ２ が、その内側に位置するもう一方の止水ラインＷ Ｓ １ と協働して止水性能を格段にアップさせ、確実な止水性が得られる。
【００７２】
なお、バスエプロン１ ４ の浴槽側面の下端に位置する立ち上がり部３ ２ Ｃ は、仮にバスエプロン１ ４ の上側からの水分の沁み出しがあっても、これを一時的に受け止めて自然乾燥可能になっている。これにより、バスエプロン１ ４ の上部からの水滴に対しては、止水ラインＷ Ｓ １ ， Ｗ Ｓ ２ のほかに第３ の止水手段が設置されることとなり、極めて高い止水性が発揮される。
【００７３】
最後に、化粧板１ ６ を洗い場カウンタ１ ５ の足元に嵌め込む。この嵌め込みのとき、バスエプロン１ ４ が所定位置に嵌め込まれていないときには、そのロック用溝１ ４ Ｃ に化粧板１ ６ の端部の突起体１ ６ Ａ ａ を嵌合できない。これにより、作業者は、バスエプロン１４ の嵌め込みが所定位置で確実に行なわれていないということを容易に認識できるので、バスエプロン１ ４ の嵌め込みをやり直すことになる。バスエプロン１ ４ が所定位置に嵌め込まれている場合、すなわち、バスエプロン１ ４ の枠状部分との水密性が十分に確保されている場合、化粧板１ ６ を洗い場カウンタ１ ５ の足元に嵌め込むことができる。これにより、不用意な施工を排除して漏水事故などが起こる事態を、未然に且つ確実に防止することができる。また、このロック機構により、バスエプロン１ ４ に掛かる荷重を化粧板１ ６の側にも一部負担させることができるので、バスエプロン１ ４ の耐加重性能もアップさせることもできる。
【００７４】
（ 効果）
本実施形態に係るユニットバス１ は以上のように構成されて機能することから、様々な利点を享受することができる。
【００７５】
まず、基本的に、浴槽、バスエプロン、及び洗い場用防水パンを３ 分割構造としたため、主要なコンポーネントをそれぞれ別体として現場に搬入できる。また、従来の分割方式のユニットバス（ 例えば、前述した特許文献１ に記載のユニットバス） のように、浴槽及び洗い場用防水パンを結合する結合フレーム、この結合フレームにより形成される開口部を閉じる蓋体、及び浴槽遮蔽エプロンといった多数の製造コストの高いコンポーネントが不要になり、単に、左右両端部に立設する一対の結合部材１ ３ Ａ ， １ ３ Ｂ とバスエプロン１ ４ が有ればよい。この結合部材とバスエプロンを用いた簡素な構成でありながら、浴槽１ １ と洗い場用防水パン１ ２ をその両端部で相互に所定位置で結合でき、この結合により大きな開口部Ｏ Ｐ を画成して施工や保守のときの作業性をアップさせることができる。加えて、かかる結合により、バスエプロン１ ４ を嵌め込む枠状部分を形成して、バスエプロン１ ４ を簡単に且つ着脱自在に水密状態で取り付けることができる。この結果、施工作業や保守点検のための開口部を大きく採ることができ、確実な水密性を確保でき、防水パンとバスエプロンが仕切られていることに拠る高級感もあり、さらには、安価なユニットバス１ を提供することができる。
【００７６】
このように、３ 分割構造に係るユニットバス１ でありながらも、従来の非分割タイプのものと同様に洗い場付き浴槽の機能を実現できるので、主要コンポーネントを別体として搬入できることのメリットは殊更大きい。特に、戸建住宅や集合住宅のように狭い通路を通って浴室の位置までコンポーネントを運搬できること、及び、現場において浴室のドアからコンポーネントを搬入できることにより、作業コストを大きく低減可能になる。
【００７７】
また特に、本実施形態にあっては、バスエプロン１ ４ の装着に際し、図１ ６ からも分かるように、バネ部材３ ３ の押圧力を利用して水密パッキンに圧力を加えて若干変形させだけの簡単な構造で水密性を確保できる。これにより、水密性を確保するための構造が極めて簡単になる。
【００７８】
さらに、図１ ４ ， １ ５ に示したように、略２ 重の止水ラインＷ Ｓ １ ， Ｗ Ｓ ２ により確実な水密性能を発揮できることに加え、止水ラインＷ Ｓ １ ， Ｗ Ｓ ２ を成す水密パッキンＧ Ｐ１ ， Ｇ Ｐ ２ をバスエプロン１ ４ の異なる面上に装着させたことによる効果がある。すなわち、水密パッキンＧ Ｐ １ ， Ｇ Ｐ ２ を２ 本共、バスエプロン１ ４ の浴槽側の外表面１ ４ Ａ のみに配置した場合、バスエプロン１ ４ を取り付けたときの反発力が大きくなり、今度は、より大きな押圧力でバスエプロン１ ４ を押えつける必要が出てくる。そのような事態に至ると、バネ３ ３ の大形化が必要になる。反対に、バネ３ ３ の押圧力が弱いと、水密パッキンに対する押さえ付け量が不足して水密性が低下する。これに対して、本実施形態のように、２ 重の水密パッキンＧ Ｐ １ ， Ｇ Ｐ ２ をバスエプロン１ ４ の異なる面（ 一方の外表面１４ Ａ とそれに連なる両側面及び上面の３ 面から成る面との二つ面部） に分散して装着すると、水密パッキンからの反発力を抑えつつ確実な水密性を確保でき、バネ３ ３ のサイズ及び押圧性能、確実な水密性能、バスエプロンの発生する応力に因る破損などの回避の観点でバランスのとれた設計が可能になる。
【００７９】
上述した基本的な作用効果の他に、本実施形態では更に様々な特徴がある。
【００８０】
例えば、入浴者がバスタブに腰を下ろすなどして、バスエプロン１ ４ に下向きの加重がかかった場合、バネ３ ３ の変形により、バスエプロン１ ４ に止水性を保持した範囲内である程度の下向きの変形を許容できる。これにより、バスエプロン１ ４ と浴槽１ １ 及び防水パン１ ２ とが完全な剛体として結合されてしまうことを防止でき、若干の弾性変形により加重を支えることができる。
【００８１】
このとき、バスエプロン１ ４ と防水パン１ ２ の第１ の土手部１ ２ Ｂ １ のレール状床面３２ Ａ との間には、目地材４ ８ が置かれる（ 図１ ６ 参照） 。このため、バスエプロン１ ４ の変形が大きくなろうとすると、バスエプロン１ ４ は、この目地材４ ８ からの反発力を受ける。このため、バネ３ ３ からバスエプロン１ ４ が外れてしまうことを阻止できる。すなわち、バネ３ ３ のロック機能の弱体化を阻止できる。
【００８２】
また、目地材４ ８ を配置することで、かかる隙間にごみなどが溜まることを防止できるし、また美観上の体裁もよい。
【００８３】
さらに、第１ 及び第２ の結合部材１ ３ Ａ ， １ ３ Ｂ に形成した第１ の当接面Ｓ １ 及び第２の当接面Ｓ ２ （ 図５ 参照） との成す角度を直角又は鈍角としている。とくに、所定の鈍角な角度にすることによって、バスエプロン１ ４ を開口部Ｏ Ｐ に装着するときに、側面の水密パッキンＧ Ｐ ２ がよじれて切断してしまうといった可能性を極めて低くすることができる。
【００８４】
また、本実施形態のユニットバス１ にあっては、洗い場用防水パン１ ２ の側から浴槽１１ の側への配管を、第１ の結合部材１ ３ Ａ に形成した連通孔４ ３ を通している。このため、結合部材１ ３ Ａ に配管保持の機能を持たせることができ、配管を効率良く引き回すことができ、更には、配管を浴槽ユニット１ 内に置くことができるという利点がある。とくに、この配管を浴槽ユニット１ 内に、すなわち浴室内に置くことで、配管の施工や点検を全て浴室内で済ますことができる。このことに拠り、作業能率は大幅にアップする。さらに、かかる配管の配置に拠って、洗い場カウンタ１ ５ の下に位置する配管部分から水漏れがあっても、その水は洗い場用防水パン１ ２ で受けることから、漏水によって建築構造物に被害を与えることも無い。
【００８５】
加えて、浴槽１ １ の側に位置する配管の部分は水受け材としてのチューブ６ ７ で覆われているため、浴槽水栓２ ５ の取り付け部分やその取り付け部分に接続される配管部分から漏水があった場合でも、その水滴をチューブ６ ７ を介して洗い場防水パン１ ２ に確実に回収することができる。これにより、浴槽１ １ の下の建築構造物に水漏れの被害を与えることも無く、また防止パンを浴槽１ １ の下に置く必要もない。かかる水漏れに対しては、バスエプロン１ ４ を取り外して、その開口部Ｏ Ｐ から簡単に点検することができる。
【００８６】
一方、洗い場用防水パン１ ２ の配管部分は洗い場カウンタ及び化粧板で被っているので
、防水パン１ ２ の配管接続部や第１ の結合部材１ ３ Ａ の連通孔をシャワーなどの散水から殆ど確実に保護することができ、防水性能を劣化防止に有効である。また、カウンタ部分の見栄えが意匠的にも良くなる。
【００８７】
なお、本発明は上述した実施形態の構成に限定されるものではなく、特許請求の範囲に要旨に基づき、さらに種々の形態に変形可能なことは勿論である。
【図面の簡単な説明】
【００８８】
【図１】本発明の一実施形態に係るユニットバスの外観斜視図。
【図２】ユニットバスの主要コンポーネントを分解して示す分解斜視図。
【図３】ユニットバスの洗い場用防水パンの一端部に設置する給水配管部の概要を主に説明する斜視図。
【図４】取り付けた状態におけるバスエプロンの断面構造を主に示す縦断面図。
【図５】取り外した状態における第１ の結合部材と浴槽及び洗い場用防止パンの土手部とを示す斜視図。
【図６】第１ の結合部材で浴槽及び洗い場用防止パンの土手部を相互に結合した状態を示す斜視図。
【図７】取り付けた状態における第１ の結合部材の横断面図。
【図８】取り外した状態における第２ の結合部材と浴槽及び洗い場用防止パンの土手部とを示す斜視図。
【図９】第２ の結合部材で浴槽及び洗い場用防止パンの土手部を相互に結合した状態を示す斜視図。
【図１０】取り付けた状態における第１ の結合部材の横断面図。
【図１１】給水配管部の配管構造を示す斜視図。
【図１２】給水配管部における、浴槽側に配置された水受け材としてのチューブの取り付け状態を示す斜視図。
【図１３】水受け材としてのチューブの漏水に対する導水機能を説明する説明図。
【図１４】（ a） はバスエプロンに装着した水密部材を示す斜視図、及び、（ ｂ ） は同図（ a） のＩ Ｉ − Ｉ Ｉ 線に沿った断面図。
【図１５】バスエプロンを開口部に装着したときに生成される止水ラインの説明図。
【図１６】防水パンの土手部に設けたバネによるバスエプロンに印加される押圧力と止水性能との関係を説明する図。
【符号の説明】
【００８９】
１   ユニットバス
１ １   浴槽
１ １ Ａ １   浴槽の１ 面側のリム部
１ ２   洗い場用防水パン
１ ２ Ｂ １   洗い場用防水パンの１ 面側の土手部
１ ３ Ａ 、１ ３ Ｂ   第１ 及び第２ の結合部材
１ ４   バスエプロン
１ ４ Ａ   バスエプロンの一方の外表面
１ ４ Ｃ   ロック用溝
１ ５   洗い場カウンタ
１ ５ Ａ   傾斜部
１ ６   化粧板
１ ６ Ａ ａ   ロック用端部
２ ２   仕切り板
３ ９   支持体
４ ０   中間部材
４ １   支柱体
４ ８   目地材
４ ９   支持体
５ ０   中間部材
５ １   支柱体
Ｌ Ｂ １ 〜 Ｌ Ｂ ４   水密パッキン
Ｇ Ｐ １ 、Ｇ Ｐ ２   水密パッキン
Ｓ Ｗ １ 、Ｓ Ｗ ２   止水ライン
Ｓ １ 、Ｓ ３ 、Ｓ ４ 、Ｓ ５   開口部を画成する同一高さの面
Ｓ １ 、Ｓ ５   第１ の当接面
Ｓ ２ 、Ｓ ６   第２ の当接面
Ｗ Ｌ   浴室の壁体
【図１】
2009006169.tif 000003
【図２】
2009006169.tif 000004
【図３】
2009006169.tif 000005
【図４】
2009006169.tif 000006
【図５】
2009006169.tif 000007
【図６】
2009006169.tif 000008
【図７】
2009006169.tif 000009
【図８】
2009006169.tif 000010
【図９】
2009006169.tif 000011
【図１０】
2009006169.tif 000012
【図１１】
2009006169.tif 000013
【図１２】
2009006169.tif 000014
【図１３】
2009006169.tif 000015
【図１４】
2009006169.tif 000016
【図１５】
2009006169.tif 000017
【図１６】
2009006169.tif 000018